(57)【要約】【課題】  仕切り部材を簡単且つ安定的に設置でき、浴室の一部を仕切ることができ、保管等が容易で、且つ仕切り部材の着脱操作に支障を及ぼすことなく、仕切り部材を堅固に取り付けできるようにする。【解決手段】  仕切り部材３とホルダー部材５とで形成する。ホルダー部材５が、横桟８を備える。枠部９に仕切り部材３を嵌合させて横桟８を介して仕切り部材３を縦に積み重ねる。この仕切り部材３の垂直状の板面３ｃを押圧して仕切り部材３をホルダー部材５に止め付ける止め具６をホルダー部材５に設ける。止め具６を、板面３ｃと直交する方向に沿って移動する作動軸６ａと、この作動軸６ａの外端に設けている操作摘み６ｂと、この操作摘み６ｂの外方への牽引操作で変形し、復元力で作動軸６ａを内方に移動させてその内端６ｃを仕切り部材３の板面３ｃに当圧させるバネ６ｄとで形成する。【選択図】      図１
2005279073.tif 000002
【特許請求の範囲】
【請求項１】
浴槽側と洗い場側の境に設けられる浴室用パーテーションであって、浴槽の洗い場側のフランジ上面に、起立状態で上下方向に積み重ねられる略四角形の板状の仕切り部材と、上記のフランジ上面が突き当たる壁面に垂直に設けられて上記の仕切り部材の側端が嵌め込まれるホルダー部材とで形成され、上記のホルダー部材がフランジ上面の上方に略水平に配置される横桟を備え、この横桟とホルダー部材とが作る鉤括弧形の枠部に仕切り部材が嵌合されて横桟を介して仕切り部材が縦に積み重ねられ、この仕切り部材の垂直状の板面を押圧して仕切り部材をホルダー部材に止め付ける止め具がホルダー部材に設けられ、この止め具が、上記の板面と直交する方向に沿って移動する作動軸と、この作動軸の外端に設けられている操作摘みと、この操作摘みの外方への牽引操作で変形し、復元力で作動軸を内方に移動させてその内端を仕切り部材の板面に当圧させるバネとで形成されていることを特徴とする浴室用パーテーション。
【請求項２】
請求項１記載の浴室用パーテーションであって、バネは操作摘みの外方への牽引操作で圧縮されるコイルバネで形成され、このコイルバネが作動軸に外装されていることを特徴とする浴室用パーテーション。
【請求項３】
請求項１又は２記載の浴室用パーテーションであって、仕切り部材が、２分割された風呂蓋の各分割片で形成され、止め具が、ホルダー部材の上部と下部に設けられていることを特徴とする浴室用パーテーション。
【発明の詳細な説明】
【技術分野】
【０００１】
本発明は、浴室用パーテーションに関し、更に詳しくは浴槽側と洗い場側の境に設け、例えばシャワーの飛散を防止できるよう形成した浴室用パーテーションに関するものである。
【背景技術】
【０００２】
従来この種のパーテーションとしては、浴室の浴槽短辺に接する両壁面に水飛散防止部材の取付部材を設け、この取付部材間に水飛散防止部材を架け渡すよう形成しているものがある（例えば特許文献１参照）。
また従来、浴槽側と洗い場側の境の上方にレールを横架し、このレールに防水カーテンを吊るし、このカーテンでシャワーの飛散を防止することも、一般的に行なわれている。
また従来、例えば風呂蓋の収納装置としては、風呂蓋を跨がせて垂下状に収納する蓋保持具を、壁面から少し離して縦軸を中心に水平回転するよう形成しているものがある（例えば特許文献２参照）。
【特許文献１】特開２００２−１７５９７号公報
【特許文献２】実開昭６１−１３６９８１号公報
【発明の開示】
【発明が解決しようとする課題】
【０００３】
ところで従来品は、上記の通り、浴室の対向する壁面に取付部材を夫々設け、この取付部材に水飛散防止部材を架け渡す構造であったから、これによると水飛散防止部材を取り付けるとき、入浴者は先ず一方の取付部材に水飛散防止部材の一方側を挿し嵌め、次に他方の取付部材の位置まで移動して水飛散防止部材の他方側を取り付ける必要があった。従って従来品によると、仕切り作業が不便で使い勝手が悪かっただけではなく、従来品はこのように浴槽の長手方向の浴室空間の全長を仕切る構造であったから、一旦、水飛散防止部材を取り付けると、浴槽への出入りがしにくくなる、という問題点があった。
【０００４】
また浴槽側と洗い場側をカーテンで仕切る場合は、不使用時にもカーテンが垂らされ、カーテンが、常時、浴室内に露出して配置されるものであったから、浴室内が雑然化し易かった。またカーテンによる場合は、浴槽に出入りするときやシャワーを浴びるとき、カーテンに身体が触れたり、カーテンが身体にまとわり付き易かったから、快適に入浴できない、という問題点があった。
従ってこの種のパーテーションは、入浴の快適性を阻害することがないよう、シャワーを使用するときだけ、簡単、迅速にセットでき、保管や取り扱いも容易になるよう形成されているのが望ましい。しかし取り扱いの容易性等のため、仕切り部材を複数に形成し、例えば上側と下側に分けると、下側の仕切り部材は浴槽のフランジ上面と浴室壁面である程度安定的に取り付けできても、上側の仕切り部材が不安定化するのを避けられない。
【０００５】
そこで出願人は、このような問題に鑑み、仕切り部材を浴槽のフランジ上面に載せ、この仕切り部材の側端を、壁面に設けるホルダー部材に挿し込み、このホルダー部材の横桟を介して仕切り部材を縦積みできるよう形成した浴室用パーテーションを既に提案済みである（特願２００４−４７１８号）。
而してこのパーテーションの場合、縦積みした仕切り部材の取付状態が不安定だと、僅かな振動や衝撃でも仕切り部材がホルダー部材から外れて脱落するため、安心して入浴することができないことになる。従ってこの種のパーテーションは、仕切り部材の取付状態が堅固になるよう、仕切り部材をホルダー部材に止め付ける手段が講じられているのが良い。
但しこの場合、止め付け手段の操作に手間取ると、仕切り部材をホルダー部材に取り付けたり取り外しするのに手間暇がかかり、使い勝手が悪くなる。従ってこの種の手段は、操作を簡単、迅速にできるよう形成されているのが望ましい。
【０００６】
本発明は、このような実情に鑑み、提案されたものである。
従って本発明の解決しようとする技術的課題は、簡単に且つ安定した状態で仕切り部材を設置でき、浴槽の長手方向の浴室空間の全長を仕切ることなく、例えばシャワーが一番飛散する範囲だけ、部分的に仕切ることができ、また保管や取り扱いを容易にでき、しかも仕切り部材の取り付け取り外し操作に支障を及ぼすことなく、仕切り部材をホルダー部材に堅固に取り付けできるよう形成した浴室用パーテーションを提供することにある。
【課題を解決するための手段】
【０００７】
本発明は、上記の課題を解決するため、次のような技術的手段を採る。
即ち本発明は、図１等に示されるように、浴槽１側と洗い場２側の境に設けられる浴室用パーテーションであって、浴槽１の洗い場２側のフランジ上面１ａに、起立状態で上下方向に積み重ねられる略四角形の板状の仕切り部材３と、上記のフランジ上面１ａが突き当たる壁面４に垂直に設けられて上記の仕切り部材３の側端３ａが嵌め込まれるホルダー部材５とで形成され、上記のホルダー部材５がフランジ上面１ａの上方に略水平に配置される横桟８を備え、この横桟８とホルダー部材５とが作る鉤括弧形の枠部９に仕切り部材３が嵌合されて横桟８を介して仕切り部材３が縦に積み重ねられ、この仕切り部材３の垂直状の板面３ｃを押圧して仕切り部材３をホルダー部材５に止め付ける止め具６がホルダー部材５に設けられ、この止め具６が、上記の板面３ｃと直交する方向に沿って移動する作動軸６ａと、この作動軸６ａの外端に設けられている操作摘み６ｂと、この操作摘み６ｂの外方への牽引操作で変形し、復元力で作動軸６ａを内方に移動させてその内端６ｃを仕切り部材３の板面３ｃに当圧させるバネ６ｄとで形成されていることを特徴とする（請求項１）。
【０００８】
本発明の場合、仕切り部材３の枚数は、横桟８の個数に合わせて決定される。即ち横桟８が１本の場合は、仕切り部材３は上側と下側の２枚であり、横桟８が２本の場合は、上、中、下の計３枚になる。従ってここで、鉤括弧形とは、」の形や、］の形を意味する。本発明は、仕切り部材３の枚数を増やしても横桟８によって安定した姿勢で積み重ねることができるから、高さを高くでき、また仕切り部材３の枚数を増減することで高さを自由に変更することができる。なお横桟８は、ホルダー部材５に、例えば横軸１０を中心に回動自在に設けられたり、ネジ止め等により設けられる。而して仕切り部材３の大きさは、同一には限定されず、上側、下側で違えられるのでも良い。また本発明の場合、仕切り部材３の嵌合は、通常、ホルダー部材５を断面コの字形、横桟８を断面Ｈ字形に形成することで実現されるが、これに限定されるものではない。即ち嵌合構造は、仕切り部材３やホルダー部材５等の嵌合面に、突条や凹溝等の凹凸を形成することで実現されるのでも良い。なおここで、略四角形とは、完全な長方形や正方形には限られず、仕切り部材３は、例えば将棋の駒の形や、或いは周辺に多少の凹凸形や波形等が形成されたり、また角部が丸くとられているのでも良い、ということを意味する。またここで、略水平とは、仕切り部材３を縦積みできる範囲であれば、完全な水平姿勢には限られない、ということを意味する。またバネ６ｄとしては、ホルダー部材５内の適宜位置に設けられる板バネやコイルバネがある。
【０００９】
而して本発明の場合、バネ６ｄは操作摘み６ｂの外方への牽引操作で圧縮されるコイルバネで形成され、このコイルバネが作動軸６ａに外装されているのが好ましい（請求項２）。
なぜならこれによると、簡単な構成で確実に且つ安定した状態で作動軸６ａを内方に移動させることができるからである。
【００１０】
また本発明は、図１Ａに示されるように、仕切り部材３が、２分割された風呂蓋の各分割片で形成され、止め具６が、ホルダー部材５の上部と下部に設けられているのが好ましい（請求項３）。
なぜならこれによると、浴槽１のフランジ上面１ａを仕切り部材３の置き場所として利用でき、また蓋を仕切り部材３として有効利用するため、本発明品を安価に提供できるからである。またこの場合は、ホルダー部材５の上部と下部の位置で、仕切り部材３としての風呂蓋を止め具６で夫々固定する構造であるから、止め具６が横桟８と協働して仕切り部材３の止め付け状態を堅固にできるからである。なお仕切り部材３としての風呂蓋は、仕切り時に入浴者に圧迫感を与えることがないよう、浴槽１側、洗い場２側の双方から透かして見ることができるよう、透明、或いは半透明に形成されているのが好ましい。
【発明の効果】
【００１１】
本発明は、このように仕切り部材とホルダー部材とで形成され、仕切り部材を浴槽のフランジ上面に横桟を介して縦積みし、止め具で仕切り部材を横から押圧してホルダー部材に止め付け可能に形成しているものである。
従って本発明の場合は、簡単に且つ安定した状態で堅固に仕切り部材を設置でき、また浴槽の長手方向の浴室空間の全長を仕切ることなく、例えばシャワーが一番飛散する範囲だけを仕切ることができ、仕切り部材を設置しても浴槽に出入りできる。またこれによると、仕切り部材が分割されているから、保管や取り扱いが容易になり、使い勝手が良い。
また本発明は、止め具の操作摘みをバネの弾発力に抗して牽引し、仕切り部材をホルダー部材に嵌め付けた後、操作摘みから手指を離すことで仕切り部材をホルダー部材に簡単に止め付けることができる。また仕切り部材をホルダー部材から取り外すときも、操作摘みをバネの弾発力に抗して牽引することで、仕切り部材の止め付け状態を簡単に解除できる。
従ってこれによると、仕切り部材の取り付け取り外し操作に支障を及ぼすことなく、仕切り部材をホルダー部材に堅固に止め付けることができ、仕切り部材の不用意な脱落を防止できる。
【発明を実施するための最良の形態】
【００１２】
以下、本発明を実施するための最良の形態を、添付図面に従って説明する。
本発明は、図１に示されるように、浴槽１側と洗い場２側の境に設けられるものである。１ａは、浴槽１の洗い場２側のフランジ上面である。本発明は、このフランジ上面１ａに起立状態で上下方向に積み重ねられる略四角形の板状の仕切り部材３と、フランジ上面１ａが突き当たる壁面４に垂直に設けられて仕切り部材３の側端３ａが嵌め込まれるホルダー部材５とで形成されている。
【００１３】
上記の仕切り部材３は、この実施形態では同じ大きさに２分割された風呂蓋の各分割片で形成されている。この仕切り部材３としての風呂蓋は、透明状に形成されると共に、周縁に全周にわたって軟質性の保護材３ｂが取り付けられている。また上記のホルダー部材５は、仕切り部材３の側端３ａが挿し入れられる溝状金具５１と、仕切り部材３の側端３ａを嵌め付ける嵌め込み部５２とを備えて形成されている。
【００１４】
溝状金具５１は、例えば金属板が断面コの字形に折り曲げられ、スリット状の開口５１ａを浴室内に向けてベース材５３に固定されている。このベース材５３は、形状は自由であり、例えば溝状金具５１の側面を覆って溝状金具５１を内包するよう形成されているのでも良い。また嵌め込み部５２は、先端を対向させた左右一対の突出し部５２ａを有して形成され、この突出し部５２ａの間に仕切り部材３の側端３ａが嵌め込まれると、側端３ａを覆う軟質性の保護材３ｂの復元作用で側端３ａがぴったりと嵌め付けられるものである。なおこの嵌め込み部５２は、溝状金具５１に連ねてベース材５３の上下位置に形成されている。５４は、止め具６を設けるためのコの字形金具である。このコの字形金具５４は、溝状金具５１内に、洗い場２側の一方の片５４ａが溝状金具５１の前端より前方に突き出されて螺子７で固定されている。
【００１５】
またホルダー部材５は、浴槽１のフランジ上面１ａの上方に水平に配置される横桟８を備えて形成されている。仕切り部材３は、この横桟８とホルダー部材５とが作る鉤括弧形の枠部９に嵌合され、横桟８を介して縦に積み重ねられるものである。
横桟８は、この実施形態ではホルダー部材５の中程に、断面円形の丸棒状の横軸１０を中心に上下回動自在に設けられている。またこの横桟８は、断面Ｈ字形に形成され、収納時は横軸１０を中心にして上方或は下方に回動し、上記の溝状金具５１内に垂直姿勢で格納可能に形成されている。
【００１６】
また止め具６は、仕切り部材３の垂直状の板面３ｃを押圧して仕切り部材３をホルダー部材５に止め付けるためのものである。この止め具６は、この実施形態ではホルダー部材５の上部と下部に夫々設けられている。而してこの止め具６は、仕切り部材３の垂直状の板面３ｃと直交する方向に沿って移動する作動軸６ａと、この作動軸６ａの外端に設けられている操作摘み６ｂと、この操作摘み６ｂの外方への牽引操作で変形し、復元力で作動軸６ａを内方に移動させてその内端６ｃを仕切り部材３の板面３ｃに当接させるバネ６ｄとで形成されている。このバネ６ｄは、操作摘み６ｂの外方への牽引操作で圧縮されるコイルバネで形成され、作動軸６ａに外装されている。作動軸６ａの内端６ｃは、径が拡大され、仕切り部材３の板面３ｃを傷付けないよう、パッド状に形成されている。
【００１７】
次にこの実施形態に係る本発明品の使用例を説明する。
先ず入浴者は、下側の仕切り部材３を浴槽１のフランジ上面１ａに載せ、止め具６の操作摘み６ｂをバネ６ｄの弾発力に抗して外方に目一杯、牽引する。次に入浴者は、仕切り部材３の側端３ａを、横軸１０の下側にあたる溝状金具５１の開口５１ａに挿し入れ、ホルダー部材５の下部の嵌め込み部５２に側端３ａの対応位置を嵌め込み、操作摘み６ｂから手指を離す。するとバネ６ｄの復元力により作動軸６ａが、例えば図３において左方向に移動し、内端６ｃが仕切り部材３の垂直状の板面３ｃに当たり、嵌め込み部５２の一方の突出し部５２ａを介して仕切り部材３をホルダー部材５に押し付ける。次に入浴者は、溝状金具５１に例えば起立状に格納されている横桟８を下方に回動させ、図１Ａに示されるように、下側の仕切り部材３の上端に、横桟８の下側の溝を嵌合させる。これにより下側の仕切り部材３が、横桟８とホルダー部材５とで形作られる下側の鉤括弧形の枠部９に嵌合される。
【００１８】
次に入浴者は、上側の仕切り部材３の下端を、横桟８の上側の溝に係合させ、またホルダー部材５の上部に設けられている止め具６の操作摘み６ｂを、バネ６ｄの弾発力に抗して目一杯、外方に牽引する。そして仕切り部材３の側端３ａを、横軸１０の上側にあたる溝状金具５１の開口５１ａに挿し入れ、ホルダー部材５の上部の嵌め込み部５２に側端３ａの対応位置を嵌め込み、操作摘み６ｂから手指を離す。すると上記と同様、バネ６ｄの復元力で作動軸６ａが図面上左方向に移動し、作動軸６ａの内端６ｃが上側の仕切り部材３の垂直状の板面３ｃに当たり、仕切り部材３をホルダー部材５に押圧して固定する。このようにして上下の仕切り部材３は、横桟８を介して堅固に縦積みされ、この仕切り部材３によって浴槽１側と洗い場２側が仕切られる。従って例えばシャワー装置のノズル（図１参照）から出る湯水は、上下の仕切り部材３によって飛散が防止される。
【００１９】
また本発明品を片付けるときは、先ず入浴者は、ホルダー部材５の上部に設けられている止め具６の操作摘み６ｂをバネ６ｄの弾発力に抗して牽引する。これにより作動軸６ａの内端６ｃが、仕切り部材３を板面３ｃから離され、仕切り部材３の止め付け状態が解除される。従ってこの状態で入浴者は、上側の仕切り部材３を鉤括弧形の枠部９から抜き取って取り外す。次に入浴者は、横桟８を持ち上げ、横軸１０を中心にして上方或は下方に回動させて横桟８を溝状金具５１内に垂直状に格納する。この場合、横桟８は、例えば溝状金具５１の内側面に形成されている幅狭状の挟着箇所に挿し込まれて垂直姿勢が維持される。入浴者は、その後（横桟８を下方に回動させる場合は水平より幾らか上側に横桟８を持ち上げたまま）、ホルダー部材５の下部の操作摘み６ｂをバネ６ｄの弾発力に抗して牽引し、仕切り部材３の止め付け状態を解除して下側の仕切り部材３を溝状金具５１及び下側の嵌め込み部５２から抜き取って取り外す。
【００２０】
以上の処において、上記の仕切り部材３の着脱操作は、通常、洗い場２側から行なうため、止め具６は操作摘み６ｂが洗い場２側に配置されるよう、ホルダー部材５に設けられるのが好ましいが、本発明はこれに限定されるものではない。また操作摘み６ｂは、手指をかけ易くなるよう、環状や、コの字の引き手状に形成されるのでも良い。
【図面の簡単な説明】
【００２１】
【図１】本発明のパーテーションの好適な一実施形態を示し、Ａは使用状態時の斜視図、Ｂはホルダー部材の一部を切欠した要部正面図である。
【図２】同上パーテーションの作用を説明するための一部を切欠した要部斜視図である。
【図３】同上パーテーションの使用状態時の一部を切欠したホルダー部材の要部正面図である。
【図４】図３のＩＶ−ＩＶ線における断面図である。
【図５】ホルダー部材の一部を切欠した要部正面図である。
【符号の説明】
【００２２】
１    浴槽
１ａ  フランジ上面
２    洗い場
３    仕切り部材
３ａ  側端
３ｃ  板面
４    壁面
５    ホルダー部材
６    止め具
６ａ  作動軸
６ｂ  操作摘み
６ｃ  内端
６ｄ  バネ
８    横桟
９    鉤括弧形の枠部
【図１】
2005279073.tif 000003
【図２】
2005279073.tif 000004
【図３】
2005279073.tif 000005
【図４】
2005279073.tif 000006
【図５】
2005279073.tif 000007